(57)【要約】【課題】  音楽再生機能を備えた通信端末装置の使い勝手を向上する。【解決手段】  本発明にかかる通信端末装置は、音声信号を記憶する記憶部と、前記記憶手段に記憶した音声信号を立体化処理する信号処理部とを備え、音声信号を再生する場合に、周囲の状況または前記音声信号に付加された識別信号または前記通信端末装置にイヤフォンが接続されているか否かに応じて、音声信号を立体化処理するか否かを切り換えることを特徴とする。【選択図】  図３
2005151067.tif 000002
【特許請求の範囲】
【請求項１】
音声信号を記憶する記憶部と、
前記記憶手段に記憶された音声信号が立体的な音で出力されるように立体化処理する信号処理部と、
周囲の状況を検出する検出部と、
前記検出部の検出結果に応じて、前記信号処理部により音声信号を立体化処理するか否かの切り換えを行う制御部と、
を備えていることを特徴とする通信端末装置。
【請求項２】
前記検出部は、前記通信端末装置の周囲の照度を検出する光センサーであることを特徴とする請求項１に記載の通信端末装置。
【請求項３】
前記制御部は、前記照度が所定以上のとき前記信号処理部により音声信号を立体化処理し、前記照度が所定未満のとき前記信号処理部により音声信号を立体化処理しないことを特徴とする請求項２に記載の通信端末装置。
【請求項４】
前記検出部は、ユーザが前記通信端末装置を手に持っているか否かを検出するタッチセンサーであることを特徴とする請求項１に記載の通信端末装置。
【請求項５】
前記制御部は、ユーザが前記通信端末装置を手に持っているとき音声信号を立体化処理し、ユーザが前記通信端末装置を手に持っていないとき音声信号を立体化処理しないことを特徴とする請求項４に記載の通信端末装置。
【請求項６】
前記信号処理部は、前記記憶手段に記憶された音声信号に含まれる周波数成分を倍にし、前記音声信号に加算する処理を行うことを特徴とする請求項１に記載の通信端末装置。
【請求項７】
音声信号を記憶する記憶部と、
前記記憶手段に記憶された音声信号を立体化処理する信号処理部と、
前記記憶部に記憶された音声信号の再生要求が入力されたとき、前記音声信号に付加された識別データに応じて、前記信号処理部により音声信号を立体化処理するか否かの切り換えを行う制御部と、
を備えていることを特徴とする通信端末装置。
【請求項８】
前記識別データは音声信号の立体化処理を禁止することを示すデータであり、前記制御部は前記識別データが付加されているとき、前記信号処理部により音声信号を立体化処理しないことを特徴とする請求項７に記載の通信端末装置。
【請求項９】
音声信号を記憶する記憶部と、
前記記憶手段に記憶した音声信号を立体化処理する信号処理部と、
再生された音声信号を出力するスピーカーと、
イヤフォンを接続する接続部と、
前記接続部にイヤフォンが接続されているとき前記信号処理部により音声信号を立体化処理し、前記接続部にイヤフォンが接続されていないとき前記信号処理部による音声信号の立体化処理を行わないように制御する制御部と、
を備えていることを特徴とする通信端末装置。
【請求項１０】
前記制御部は、前記音声信号に音声信号の立体化処理を禁止することを示すデータが付加されているとき、前記接続部にイヤフォンが接続されている場合であっても、前記信号処理部による音声信号の立体化処理を行わないように制御することを特徴とする請求項９に記載の通信端末装置。
【請求項１１】
音声信号を記憶し、
前記音声信号の再生指示が入力された場合に、イヤフォンが接続されているときは前記音声信号の立体化処理して再生し、イヤフォンが接続されていないとき前記音声信号の立体化処理せずに再生することを特徴とする再生方法。
【請求項１２】
請求項１１に記載の再生方法において、イヤフォンが接続されていないとき、前記音声信号の立体化処理を行うことができない旨のメッセージを表示することを特徴とする再生方法。
【請求項１３】
複数種類のメロディを記憶し、
前記複数種類のメロディの中の１つを着信時に再生する着信メロディとして選択し、
着信があったとき周囲の照度を検出し、
前記照度が所定以上のとき、選択された前記メロディを立体的な音に処理して再生し、前記照度が所定未満のとき前記メロディを立体的な音に処理せずに再生することを特徴とする再生方法。
【請求項１４】
複数種類の音声信号を記憶し、
前記複数種類の音声信号の中の１つを報知音として選択し、
前記報知音を再生する再生時刻を設定し、
前記再生時刻になったとき周囲の照度を検出し、
前記照度が所定以上のとき選択された前記音声信号を立体化処理して再生し、前記照度が所定未満のとき前記音声信号を立体化処理せずに再生することを特徴とする再生方法。
【請求項１５】
前記照度が所定以上のとき、前記音声信号を再生する音量を前記照度が所定未満のときよりも小さくすることを特徴とする請求項１４に記載の再生方法。
【発明の詳細な説明】
【技術分野】
【０００１】
本発明は、音楽再生機能を備えた通信端末装置に関する。
【背景技術】
【０００２】
従来、音楽再生機能を通信端末装置に搭載し、この機能を用いて着信音を出力することが行われている。例えば、周囲の環境に合わせて、着信音の音色、メロディを自動的に変化させ、使用環境にあった着信音で着信を知らせる携帯電話装置が開示されている（例えば、特許文献１参照）
【０００３】
【特許文献１】特開２００１−２２３７６７号公報
【発明の開示】
【発明が解決しようとする課題】
【０００４】
今後、ユーザに更に高音質の音楽再生を提供するためには、再生音の立体化が必要になる。しかし、上記公報に記載の携帯電話装置では、着信音の音色やメロディを変化させることが記載されているが、再生音の立体化を行う場合について検討されていない。
【０００５】
携帯電話の筐体は小型化が進んでいるため、搭載可能なスピーカーのサイズにも自ずと限界が生じる。再生時に得られる最大音量は基本的にはスピーカーのサイズに大きく影響されるため、制限内で出来るだけ大きな音で再生が出来るように入力する信号レベルを設定する。再生音楽の立体化を行うと、例えば聴感上あまり聞こえない成分等を効果音として加味するため、再生音楽の信号レベルは増加する。そのため、そのままの信号レベルでスピーカーに出力すると、スピーカーに最大入力以上の信号レベルで入力されてしまい、音割れ等の不具合を生じるという問題がある。これに対応するために信号レベルを立体化を行う前と同じレベルまで信号レベルを下げると、聴感上の音量が小さくなり、聞こえ難くなってしまうことがある。特に、着信報知として用いる場合に聴感上の音量が小さくなると、ユーザは報知に気づき難くなる。このように、再生音楽の立体化を行うことにより、ユーザの使い勝手が悪くなる場合がある。
【０００６】
そこで、本発明は、音楽再生機能を備えた通信端末装置の使い勝手を向上することを目的とする。
【課題を解決するための手段】
【０００７】
上記課題を解決するため、本発明にかかる通信端末装置は、音声信号を記憶する記憶部と、前記記憶手段に記憶した音声信号を立体化処理する信号処理部とを備え、音声信号を再生する場合に、周囲の状況または前記音声信号に付加された識別信号または前記通信端末装置にイヤフォンが接続されているか否かに応じて、音声信号を立体化処理するか否かを切り換えることを特徴とする。
【発明の効果】
【０００８】
本発明によれば、音楽再生機能を備えた通信端末装置の使い勝手を向上することができる。
【発明を実施するための最良の形態】
【０００９】
図１は、本発明における通信端末装置の構成を示すブロック図である。図１を用いて通信端末装置の構成及び動作を説明する。
【００１０】
送受信部１は、外部機器と音楽データや映像データの送受信を行う。記憶部２は、送受信部１により受信した音楽や映像データや入力部６を用いてユーザにより入力された電話番号やメールアドレス等のデータ、制御部４において実行するプログラムを記憶する。図1に示した実施形態では、入力されたデータやプログラムを記憶部２に全て記憶しているが、これに限定するものではなく、複数のメモリを備え、データに応じて使い分けるようにしても良い。例えば、入力データについては、取外し可能なメモリカード等を記憶部として用いることにより、保存したいデータが増えた場合であっても、容易に対応することができる。また、入力部６は数字キーやファンクションキーを含む複数のキーボタンから構成されている。
【００１１】
光センサー３は、通信端末装置の周囲の明暗を検出する検出器である。この光センサー３はユーザの操作により機能をＯＮ／ＯＦＦすることができる。例えば、ユーザが周囲の明るさに応じて機能を切り換えることを望む場合はＯＮにし、切り換えを希望しない場合はＯＦＦに設定する。
【００１２】
制御部４は、記憶部２に記憶されたプログラムに基づいて、各構成部を制御したり、データ処理を行ったりする。この制御部４において、音楽データを再生出力するための信号処理及び再生音を立体化するための信号処理を行う。ここで、再生音を立体化する処理としては、例えば元の着信音に含まれる周波数成分から倍音成分を合成し、再生する際に元の着信音に加算して出力することが上げられるが、再生音に立体感を得るために施す信号処理であれば、これに限るものではない。
【００１３】
スピーカー５は、制御部４で処理された音楽信号及び各種信号を出力する。表示部７は、液晶表示画面等から構成され、メニュー画面等を表示したり、ユーザへの通知メッセージを表示したりする。
【００１４】
まず、着信音を立体化（３Ｄ化）する場合を説明する。ユーザは、入力部６を操作することにより、図２に示すように着信音を立体化するかどうかを予め設定する。この設定は、ユーザが発信者ごとに個別の着信音を選択している場合や、会社や友達等のグループ毎に着信音を選択している場合は、着信音ごとに設定を行うようにしても良い。着信音によっては立体化に適さない場合や、特定のグループや個人からの着信音についてはユーザが立体サウンドにすることを望まない場合がある。このように、選択された着信音ごとに設定することにより、着信音の特徴やユーザの使用形態に合わせて、立体処理を行うことができる。なお、着信メロディの著作者により再生音の立体化を行うか否かを示す３Ｄ設定データが付加されている場合には、ユーザの設定にかかわらず、この設定データに従って処理を行う。
【００１５】
図３は、通信端末装置に着信があった場合の着信報知処理を示すフローチャートである。本実施形態では、周囲の明るさに応じて通信端末装置が鞄等に入っているか否かを判断し、それに応じて着信音を立体化処理するか否かを切り換える。
【００１６】
通信端末装置は、着信信号を待ち受け、着信の有無を監視する（ステップ１０１）。制御部４は、送受信部１が信号を受信したことを検出すると（ステップ１０２）、着信音を立体化する設定になっているか否かを判断する（ステップ１０３）。
【００１７】
３Ｄ設定がされていない場合、立体音の生成処理を行わずに、着信音を再生する（ステップ１０５）。一方、３Ｄ設定がされている場合には、光センサー３のＯＮ／ＯＦＦを検出する（ステップ１０４）。
【００１８】
光センサー３がＯＮの場合、光センサー３は周囲の明るさを検出し、その結果を制御部４へ出力する。制御部４は、明るさが所定値以上であると判断すると（ステップ１０６）、立体音の生成処理を行い、着信音をスピーカー５から出力する（ステップ１０７）。一方、照度が所定値未満の場合には、立体化処理を行わずに、音量を最大あるいはユーザ設定よりも大きな音量に変更して着信音を出力する（ステップ１０８）。照度が所定以上になった場合は、立体化処理を行い、スピーカーから出力する。
【００１９】
光センサー３がＯＦＦの場合は、３Ｄ設定に従い、立体化処理した再生音を出力する（ステップ１０７）。
【００２０】
本実施形態によれば、周囲が明るく、通信端末装置が鞄等の中に入っていないと判断した場合は、着信音を立体化して出力することにより高音質の着信メロディをユーザに提供することができる。また、鞄等に入っていると判断した場合には立体化処理を行わないため、聴感上の音量が大きくなり、ユーザに着信を知らせるという着信音本来の機能を減じることが無い。
【００２１】
次に、目覚まし等のアラーム音を立体化する場合について説明する。本実施形態では、周囲の明るさに応じて、アラーム音を立体化処理するか否かを切り換える。ユーザは、入力部６を用いて、予めアラーム報知時刻や、アラーム音の選択、選択したアラーム音を立体処理するか否かを設定する。
【００２２】
図４は、アラーム報知処理を示すフローチャートである。制御部４は、時刻の計時処理を行い（ステップ３０１）、設定された時刻となったことを検出（ステップ３０２）すると、アラーム音を立体化する設定になっているか否かを判断する（ステップ３０３）。
【００２３】
３Ｄ設定がされていない場合、アラーム音の生成処理を行わずに、アラーム音を再生する（ステップ３０５）。一方、３Ｄ設定がされている場合には、光センサー３のＯＮ／ＯＦＦを検出する（ステップ３０４）。
【００２４】
光センサー３がＯＮの場合、光センサー３は周囲の明るさを検出し、その結果を制御部４へ出力する。制御部４は、明るさが所定値以上であると判断すると（ステップ３０６）、立体音の生成処理を行い、アラーム音をスピーカー５から出力する（ステップ３０７）。一方、照度が所定値未満の場合には、立体化処理を行わず、聴感上の音量が大きくなるようにしてアラーム音を出力する（ステップ３０８）。照度が所定以上になった場合は、立体化処理を行い、音質が向上するようにしてスピーカーから出力する。
【００２５】
以上のように、周囲の状況に応じて音声データの立体化処理を行うか否かを切り換えることにより、アラーム報知音の立体感を出して音質の向上を図りながら、暗い場合の目覚ましアラーム報知時には大きな音量で報知することができ、ユーザの使い勝手を向上することができる。
【００２６】
以上の実施形態では光センサーを搭載しているが、これに限ったものではなく、例えば通信端末装置に搭載されているカメラセンサーを用い、カメラセンサーにより取り込まれたデータを元に通信端末装置周辺の明るさを検出するようにしてもよい。これにより、特別に光センサーを設ける必要がなく、部品数を少なくすることができる。
【００２７】
また、本実施形態では、周囲の明るさを検出し、再生音立体化処理を行うかどうかを切り換えたが、これに限定するものではない。例えば、ユーザが手に持っているかどうか、またはクラムシェルタイプの通信端末装置であれば開いているかどうか、あるいは操作ボタンを押したこと等を検出して再生音立体化処理を切り換えるようにしても構わない。例えば、タッチセンサーを使用し、ユーザが通信端末装置を手に持っているかどうかで立体化処理を行うか否かを切り換える。
【００２８】
さらに、状態検出手段による検出結果に基づいて再生音立体化処理を行うかどうかを決定せず、まず立体化処理を行わずに再生音を出力し、所定時間後に立体化処理を行うよう切り換えるようにしても良い。
【００２９】
以上、着信メロディやアラーム報知音を再生する場合に、立体化処理を行うか否かを切り換える場合について説明したが、これに限定するものではない。他の通信端末装置から受信した音声データやダウンロードした音声データ、メモリカード等の記憶媒体に記憶された音声データを再生する場合に適用しても良い。
【００３０】
例えば、映画等のデータを再生する場合、スピーカーから臨場感のある立体音が出力されると、周囲の人に迷惑を与える場合がある。また、周囲がうるさい場所では、せっかく立体音化してもあまり聞こえない場合がある。このような場合に対応するために、制御部４はデータ再生の指示がユーザから入力されると、通信端末装置にイヤフォンが接続されているかどうかを確認する。そして、イヤフォンが接続されているときには立体化処理を行い、イヤフォンが接続されておらず、スピーカーから再生音を出力するときには立体化処理を行わないように切り換えるように制御する。このように、イヤフォンが接続されているか否かに応じて立体化処理を切り換えることにより、使用状況に合わせてデータを再生することができる。データを再生する前に、「音声を３Ｄ再生します」、「スピーカーでは３Ｄ再生することができません。３Ｄ再生を希望される場合にはイヤフォンをご使用ください」等のメッセージを表示部７に表示するようにしても良い。
【００３１】
また、イヤフォンの接続に応じて立体化処理を切り換えるだけでなく、接続状態にかかわらず、ユーザが立体化処理の切り換えを行うことができるようにすることが望ましい。音声状態が悪いものについては、立体化させると雑音が多くなり、ユーザが聞き難いと感じる場合がある。このような場合、イヤフォンの接続状態にかかわらず、ユーザの好みに応じて切り換えることができるようにすることにより、ユーザの使い勝手を向上することができる。
【００３２】
また、映画等のデータの場合、著作者が通信端末装置で立体化処理を行うことを望まない場合がある。例えば、制御部４はユーザからデータ再生の指示が入力されると、制御部４は再生するデータのヘッダー等に立体化処理を禁止する禁止データが含まれていなかどうかを確認する。禁止データが含まれている場合には、イヤフォンの接続状態やユーザの切り換え設定にかかわらず、立体化処理を行わないように制御する。なお、データを再生する前に「３Ｄ再生が禁止されています」等のメッセージを表示することが好ましい。これにより、３Ｄ再生が禁止されていることをユーザが知らずに、繰り返し３Ｄ再生指示を入力することを防ぐことができる。
【００３３】
なお、禁止データに限らず、著作者が立体化処理を推奨することを示す推奨データを付加してデータを配信するようにしても良い。このような推奨データが付された音声データを再生する場合には、ユーザにより立体音声化処理を禁止する設定がなされている場合を除き、制御部４は自動的に立体化処理を行った上で、音声を出力するようにする。これにより、著作者の創作意図に合わせてデータを再生することができる。
【図面の簡単な説明】
【００３４】
【図１】通信端末装置の構成を示すブロック図である。
【図２】通信端末装置の表示画面の一例を示す図である。
【図３】通信端末装置における着信報知処理を示すフローチャートである。
【図４】通信端末装置におけるアラーム報知処理を示すフローチャートである。
【符号の説明】
【００３５】
１…送受信手段、２…記憶手段、３…光センサー、４…制御手段、
５…スピーカー、６…制御部、７…表示部
【図１】
2005151067.tif 000003
【図２】
2005151067.tif 000004
【図３】
2005151067.tif 000005
【図４】
2005151067.tif 000006